(57)【特許請求の範囲】
【請求項１】
衛生洗浄便器の便器蓋（8）に設ける自動噴射ノズルの消毒、消臭スプレー装置は、エタノール容量濃度
50％乃至80％溶液と噴射剤溶液と消臭、芳香剤を含有のミスト除菌スプレー缶（1）を衛生洗浄便座操作
盤（12）の下部位置等をガバナケースの装着場所にして、
そのスプレー缶（1）は、ワンタッチでケースから脱着出来る構成にして、便器蓋（8）の固定中心軸に数
ミリ径の穴（18）を開けて、回動する便器蓋（8）の二つに分ける噴射角度のノズル（5）とスプレー缶の
ガバナ（3）は連通配管して、
そして左右の便座（7）への自動噴射の作動は、便器蓋（8）の開閉をマイクロスイッチ（15）、或いは人
センサーにして、便器蓋（8）を上げて用便時にはスイッチが切れて、便器蓋（8）を落としてONとなり、
同時にタイマー（11）使用のスプレー缶からの配管内の電磁開閉ポペット弁（10）のスイッチはONとな
って、用便の頻度により噴射から次の自動噴射までの長短の時間幅と瞬間の開閉時間は操作盤部のタイマ
ー調整の任意の設定から便器蓋内側と左右便座（7）の隙間前方に噴射となるものとして、
そのタイマーとは別に設ける手動スイッチ（16）は、直接電磁開閉ポペット弁（10）にスイッチが入り用
便毎で手動噴射となるものにして、
そして自動、手動噴射装備は、併用若しくは選択使用のものとして、便器蓋（8）を閉じて噴射から便座
（5）は消毒、除菌となり、その便座（7）と便器蓋（8）は、便器内から噴霧の漏れを少なくするために
外側のカバー部分（20）を隙間なく幅広く成形して、長く充満するものにして便器内は除菌、消臭となっ
て、そのスプレー缶（1）は、カセットコンロボンベ等と共用出来るサイズのものとして、制御と操作機
器を具備して点灯等で作動確認が出来るものとした衛生洗浄便器に設ける自動噴射ノズルの消毒、消臭ス
プレー装置。
【請求項２】
洋式便器の便器蓋（8）に設ける手動噴射ノズルの消毒、消臭スプレー装置は、エタノール容量濃度50％
乃至80％溶液と噴射剤溶液と消臭、芳香剤を含有のミスト除菌スプレー缶（1）を壁、水槽等の任意の位
置をガバナケースの装着場所にして、
そのスプレー缶（1）は、ガバナケース内にワンタッチで脱着出来る構成にして、スプレー缶のガバナ（3）
から便器蓋（8）の回動固定軸中心穴（18）の固定中心軸ソケット（13）へ連通配管（6）から左右便座に分
ける噴射ノズル（5）を設けて、或いは連通配管（6）から便器蓋（8）のフレキシブルホース（6a）と左右便
器蓋内側の任意の位置に設ける噴射ノズル（5a）に配管して、
そして二つの噴射ノズル装備からの噴射は、便器蓋（8）を閉じてスプレー缶ガバナ（3）の手動噴射ボタ
ン（4）で噴射口を圧して、左右に分ける噴射ノズル（5）から左右便座前方の隙間に向かって手動噴射と
なり、或いは便器蓋内側左右ノズル（5a）から左右便座に上部からの噴射となって、二つの噴射ノズル装
備は選択からのものとして、便器蓋（8）を閉じて噴射から便座（7）は消毒、除菌となり、その便座（7）
と便器蓋（8）は、便器内から噴霧の漏れを少なくするために外側のカバー部分（20）を隙間なく幅広く成
形して、長く充満するものにして便器内は除菌、消臭となって、
そのスプレー缶（1）は、カセットコンロボンベ等と共用出来るサイズのものとした洋式便器の便器蓋（8）
に設ける手動噴射ノズルの消毒、消臭スプレー装置。
【発明の詳細な説明】
【技術分野】
【０００１】
不特定多数の使用する洋式トイレ便座の消毒、除菌に関するものである。
【背景技術】
【０００２】
洋式便器、衛生洗浄便器の使い捨ての専用便座紙シートは、公衆、駅、商店等のトイレには備えてなく
て、衛生状態は各人の判断で用便して、現況では衛生的な便器は少なくて、自動的に除菌、消毒となる
装置は必要なものと思われる。
【先行技術文献】
【特許文献】
【０００３】
【特許文献１】特開平4-208124     洋式トイレ自動便座消毒清掃機
【特許文献３】特開平8-319208      エアゾール組成物
【特許文献５】特開2005-261880     洋式便座蓋
【特許文献７】特許第4084021号    洋式便器に於ける便座洗浄装置    公衆トイレ等の不特定多数の人々の使用から雑菌等の皮膚感染が考えられ、非衛生的な公衆洋式便座を  電気制御の自動スプレー噴射装備を組み込む簡易衛生洗浄便座に取替えるものとして、スプレー缶は、  大量生産品等のボンベと共用することでより安価なものとなる。
【発明の概要】
【発明が解決しようとする課題】
【０００４】
前記、便座紙シートを備えるトイレは少なく清潔な洋式トイレ便座は衛生上重要なものであって、
公衆トイレ等の不特定多数の人々の使用から雑菌等の皮膚感染が考えられる。
【０００５】
衛生洗浄便座操作盤部の下部等に具えつける前記ミストスプレー缶から噴射ノズルへの配管にタイマ    
ーで作動の電磁開閉弁で任意の設定時間に自動的に噴射する構成として、便座蓋の開閉をマイクロス
イッチ、或いは人センサー等にして、便座蓋を上げての用便時にはスイッチはOFF、蓋を落とすと同時にタイマー使用の電磁開閉弁のスイッチはONとなって、使用頻度により噴射の設定幅の時間と弁の瞬間
開閉噴射時間は操作盤部のタイマー調整の任意の設定のものとして、便座と蓋との隙間に蓋後部の左右
に分ける噴射ノズルから左右便座前部に噴射して狭い便器内に充満させて、又噴射が終わると自動的に
タイマーはOFFとなって、蓋を上げて使用から蓋を落として再びスイッチONとなり、又一回毎での噴
射手動スイッチはタイマーとは別な直接のスイッチとなる構成にして、正常な作動は操作盤部にLED点灯で確認して、手間の掛からないバネを押してガバナにワンタッチ装着のスプレー缶は、消臭、芳香剤の含有は任意のものとして、自動噴射の便座の消毒、除菌となるミストスプレー缶装着の衛生洗浄便器を構成するものである。
【０００６】
現況の公衆トイレの洋式便器に便器蓋を取り付けて、壁、水槽等の任意に取り付ける除菌、消臭、芳香スプレー缶から便器蓋回転軸の固定軸中心に数ミリの穴を開けての噴射ノズルと連通配管して、
又便座蓋内側の隙間の無い便座上部に左右連通配管して、スプレー缶はワンタッチ取り外して差込みの出来る簡単なもので手動ボタンで圧すと左右の便座に噴射することになり、蓋をして狭い便器内に充満することで便器内の消毒、消臭作用となる。又電気制御の自動スプレー噴射装置を組み込む簡易衛生洗浄便座に取替えるものとする。
【０００７】
洋式、衛生洗浄便器の便座と便座蓋は回動して、簡易衛生洗浄便座を受ける便器前部の隙間に小便が入り不衛生なものとなっていて、その小便の当たる部分に便座と一体の当たり板（19）を成形するものとして、又便座外側全周と便器全周の隙間を極力少なくするため便座外側のカバー部分（20）を幅広く成形することと便器蓋の全周のカバー部分（20）を幅広く成形することで、前記スプレー噴射装備の噴射量が便器内に充満するものとする。   
【課題を解決するための手段】
【０００８】
請求項1の発明において、
衛生洗浄便器の便器蓋（8）に設ける自動噴射ノズルの消毒、消臭スプレー装置は、エタノール容量濃度
50％乃至80％溶液と噴射剤溶液と消臭、芳香剤を含有のミスト除菌スプレー缶（1）を衛生洗浄便座操作
盤（12）の下部位置等をガバナケースの装着場所にして、
そのスプレー缶（1）は、ワンタッチでケースから脱着出来る構成にして、便器蓋（8）の固定中心軸に
数ミリ径の穴（18）を開けて、回動する便器蓋（8）の二つに分ける噴射角度のノズル（5）とスプレー缶
のガバナ（3）は連通配管して、
そして左右の便座（7）への自動噴射の作動は、便器蓋（8）の開閉をマイクロスイッチ（15）、或いは人セ
ンサーにして、便器蓋（8）を上げて用便時にはスイッチが切れて、便器蓋（8）を落としてONとなり、同
時にタイマー（11）使用のスプレー缶からの配管内の電磁開閉ポペット弁（10）のスイッチはONとなって、
用便の頻度により噴射から次の自動噴射までの長短の時間幅と瞬間の開閉時間は操作盤部のタイマー調整の
任意の設定から便器蓋内側と左右便座（7）の隙間前方に噴射となるものとして、そのタイマーとは別に設け
る手動スイッチ（16）は、直接電磁開閉ポペット弁（10）にスイッチが入り用便毎で手動噴射となるものに
して、そして自動、手動噴射装備は、併用若しくは選択使用のものとして、便器蓋（8）を閉じて噴射から便
座（7）は消毒、除菌となり、その便座（7）と便器蓋（8）は、便器内から噴霧の漏れを少なくするために外
側のカバー部分（20）を隙間なく幅広く成形して、長く充満するものにして便器内は除菌、消臭となって、
そのスプレー缶（1）は、カセットコンロボンベ等と共用出来るサイズのものとして、制御と操作機器を具
備して点灯等で作動確認が出来るものとした衛生洗浄便器に設ける自動噴射ノズルの消毒、消臭スプレー
装置を構成したものである。即ち本発明は、衛生洗浄便器はスプレー缶からの噴霧をタイマーと電磁弁のコ
ントロールをLED点灯等から確認出来てトイレの使用状況に合わす噴射時間幅の構成のものである。
【０００９】
請求項2の発明において、
洋式便器の便器蓋（8）に設ける手動噴射ノズルの消毒、消臭スプレー装置は、エタノール容量濃度50％
乃至80％溶液と噴射剤溶液と消臭、芳香剤を含有のミスト除菌スプレー缶（1）を壁、水槽等の任意の位
置をガバナケースの装着場所にして、
そのスプレー缶（1）は、ガバナケース内にワンタッチで脱着出来る構成にして、スプレー缶のガバナ（3）
から便器蓋（8）の回動固定軸中心穴（18）の固定中心軸ソケット（13）へ連通配管（6）から左右便座に分
ける噴射ノズル（5）を設けて、或いは連通配管（6）から便器蓋（8）のフレキシブルホース（6a）と左右便
器蓋内側の任意の位置に設ける噴射ノズル（5a）に配管して、
そして二つの噴射ノズル装備からの噴射は、便器蓋（8）を閉じてスプレー缶ガバナ（3）の手動噴射ボタ
ン（4）で噴射口を圧して、左右に分ける噴射ノズル（5）から左右便座前方の隙間に向かって手動噴射と
なり、或いは便器蓋内側左右ノズル（5a）から左右便座に上部からの噴射となって、二つの噴射ノズル装
備は選択からのものとして、便器蓋（8）を閉じて噴射から便座（7）は消毒、除菌となり、その便座（7）
と便器蓋（8）は、便器内から噴霧の漏れを少なくするために外側のカバー部分（20）を隙間なく幅広く成
形して、長く充満するものにして便器内は除菌、消臭となって、
そのスプレー缶（1）は、カセットコンロボンベ等と共用出来るサイズのものとした洋式便器の便器蓋（8）
に設ける手動噴射ノズルの消毒、消臭スプレー装置を構成したものである。即ち本発明は、既設の古い洋
式トイレ等には便器蓋（8）が無いものもあり、蓋を設けて狭い便器内に充満することで便器内の消毒、消
臭作用となる構成のものである。      
【発明の効果】
【００１０】
便器蓋を取り付ける洋式便器と衛生洗浄便器の蓋を閉じて任意の時間幅の噴射と噴出量を便座に消臭、芳香剤、噴射剤を含む高濃度のエタノールを手動噴射、自動噴射とする装置となり、又現況の公衆洋式便器の便座を外して簡易衛生洗浄便座に取り替えるものとして、カセットコンロ用のボンベ等と共用の安価なスプレー缶は、簡易な取り外し噴射口の噴射ノズルのセットで家庭等の常備薬のスプレー缶と共用の消毒、除菌スプレー缶となる。エタノール殺菌力の濃度は任意のものとして、消臭、芳香剤は任意の選定のものから、噴射剤も任意の混合比のもので良いものであり、手間の無い消毒された便器は清掃作業の一助にもなる。
【図面の簡単な説明】
【００１１】
【図１】水洗洋式便器にミスト除菌スプレー缶を装備する全体の構成図である。  （a図）電気制御の自動スプレー噴射装備を組み込む衛生洗浄便器の全体の概略図である。（実施例1）  （b図）洋式便器の便器蓋に噴射ノズルを設けて蓋を閉めてスプレー缶の手動噴射ボタンで消毒、          除菌の回動中心部のノズルから左右前方噴射とノズルを便座内裏に接着して上から便座に噴          射するものとして、両ノズル装備は選択する構成のものとした概略図である。（実施例2）  （c図）電気制御の自動スプレー噴射装備を組み込む簡易衛生洗浄便器の全体の概略図で          ある。（実施例1）  （d図）既設の洋式便器の便器蓋に噴射ノズルを設ける固定軸中心に2mm程の穴を開けて、          で二つに分ける角度のノズルに合わせて、固定軸の穴と連通配管して便座に向ける角度で          噴射する詳細図である。（実施例1、2）    （e図）自動スプレー噴射装備を組み込む衛生洗浄便器の電源スイッチから電気制御のデ          ジタルタイマーでポペット形電磁開閉弁を制御する概略の回路図である。（実施例1）
【図２】便座と便器蓋カバー部分で噴霧量の外部への漏れを少なくする構成図である。   （f図）スプレー噴射装備の噴射量がカバー部分で噴霧量の外部への漏れを少なくして便器内に充          満するものとして、小便が当たり板で便座と便器の隙間に入らなくする構成の概略の正面          図である。（実施例1、2、3）   （g図）上記の便座部の小便の当たり板、外周カバー部を前方から見た側面概略図である。                      （実施例 1、2、3）
【図３】ミスト除菌スプレー缶の概略図である。   （h図）共用（カセットコンロの250グラムガスボンベ、常備薬缶等）ミストスプレー缶と簡易手          動噴射ノズルキャップの概略図である。（実施例1、2）
【発明を実施するための形態】
【００１２】
図面と符号に基づいて説明するものとした。
【実施例１】
【００１３】
［図1］の（a図）は、衛生洗浄便器の便座にエタノールを主成分（容量濃度50％乃至80％）と消臭、芳香剤と噴射剤（液化石油ガス、液化窒素ガス、液化炭酸ガス等）のスプレー缶（ワンタッチで脱着できるカセットコンロと同じ250グラムボンベは前記のスプレー常備薬缶と共用）（1）のケースを操作盤下部（12）等に装着して、便器蓋（8）の固定中心軸に数ミリ径の穴（18）を開けて、回動する便器蓋（8）の二つに分ける噴射角度のノズル（5）と連通配管して、蓋内側と左右便座（7）の隙間に30ｃｍ程の噴射圧力で噴射して、（e図）に記載の回路図は、スプレー缶ガバナ（3）と中心軸ソケット（13）の配管内にAC、100Vポペット形電磁開閉弁（10）を設けて、弁の開閉は、任意の位置に設ける便器蓋（8）の開閉を接点とするマイクロスイッチ（15）或いは人センサー等から操作盤（12）のデジタルタイマー（11）に配線して蓋を落として（閉じて）電源が入り、噴射して、噴射が終わると自動的にタイマーはOFFとなって、蓋を上げて用便から蓋を落として再びスイッチONとなる電源が入る構成のものとして、操作盤（12）には主電源スイッチ（17）を設けて、ＬＥＤ等の点灯で作動確認出来るものとして、使用頻度（家庭用、業務店用）により手動噴射スイッチ（16）の用便毎の噴射、又特定の少ない人数の使用は数時間の間隔の噴射時間幅をタイマー設定して、噴霧量はワンショット（0.3秒前後）の設定のものとして、一般的な家庭用（四人家族として）のトイレは24時間で仮に20回の使用として毎回１グラム噴射して一日当たり20グラムとなり、３時間に１回の噴射設定とすると一日当たり8グラム、スプレー缶1本で一ヶ月使用のものとなる。
【実施例２】
【００１４】
［図1］の（b図）は、現況の公衆トイレ（学校、駅、アリーナ、公衆会場等）の便器蓋（8）の無い洋式
便器もあり、蓋を取り付けて、壁、水槽等の任意の位置に取り付ける前記、エタノール除菌、消臭、芳香
スプレー缶から（d図）詳細図に記載する便器蓋回転軸の固定軸中心に数ミリの穴（2mm程）を開けての噴
射ノズル（5）と連通配管（6）して、又便座蓋内側の隙間の無い便座上部に左右連通配管からノズル（5a）
を接着して、回転蓋との取付け部はフレキシブルホース（6a）にして、便座の隙間に噴射するものとして、
［図3］の（h図）に記載するスプレー缶はガバナケース部に差込みワンタッチ取り外してのものとして（
バネを利用したカセットコンロのボンベの取り付けと同様）、手動噴射ボタン（4）で圧すと左右の便座に分
けて噴射となり、用便毎に噴射する手動噴射のものとして、蓋をした狭い便器内に充満することで便器内の
消毒とトイレ内に備え噴霧する消臭缶より、速い消臭作用となる。又電気制御の自動スプレー噴射装置を組
み込む（c図）に記載の簡易衛生洗浄便座に取り替えるものとする。
【実施例３】
【００１５】
［図2］の（f、g図）は、洋式便器、衛生洗浄便器の便座と便器蓋カバー部分（20）で噴霧量の外部への
漏れを少なくして前記スプレー噴射装置の噴射量が便器内から漏れなく充満して消毒、除菌、消臭効果と
なり、便器全周に便座（7）と蓋（8）を落として、それぞれの外側外周と内側外周の隙間を無くためカバ
ー部分（20）を多くして、便座と便器蓋の噴射隙間は2.0ｃｍ程設けて、噴霧が行き渡るものとして、簡
易衛生洗浄便座等の構造から便座に座り用便において、既存の大きさの便座では便器と便座の隙間に小便
が入り不衛生なものとなって
おり、小便の当たる板（19）を前向きの角度（４５度程）の5センチ程の上
下と15cm程の幅で便座と一体成形の便座とした。
【産業上の利用可能性】
【００１６】
公衆トイレも洋式が大半のものとなっており、不特定多数の使用の便器、便座は衛生管理の問題とも言え、使い捨ての便座紙シートを備えるトイレは少なくて、現状はトイレットペーパーで拭いて使用して、又衛生洗浄トイレは、近い将来家庭用はほぼ100％の普及率となって、高濃度のエタノールの殺菌作用と消臭、芳香剤、噴出剤のスプレー缶の自動噴射する消毒、除菌装置は必要とされるものである。
【００１７】
衛生洗浄方式の便器は、快適な衛生便器として開発されたものである、公衆トイレ等の採用は、前述の衛生上の問題が解決されていなくて、少ない普及率となっていて、現況の便座蓋の無い洋式トイレは常時清掃員の点検と清掃で衛生面は維持されているが万全とはならないものであって、蓋を取り付けて任意の位置の手動ボタンガバナ除菌スプレー缶と回動蓋固定軸中心穴等に噴射ノズルを配管する装備は、簡単なものであって、又簡易衛生洗浄便器は、設定する噴射時間に自動的にスプレー缶から殺菌剤である高濃度のエタノールを閉じられた便座に噴射して便器に充満させることでほぼ衛生的な問題は解決されて、簡易衛生洗浄便座に交換することで維持清掃費用は軽減出来て、不特定多数の使用する施設、商店、駅等で安心して採用されるものとなる。
【符号の説明】
【００１８】
（1）共用形のミスト除菌スプレー缶
（2）トイレと常備薬缶等と共用の簡易噴射ノズル口（キャップ）
（3）ガバナ（差込部と一体）
（4）手動噴射ボタン
（5）噴射ノズル （5a）任意の位置の噴射ノズル
（6）連通管、   （6a）フレキシブルホース
（7）便座
（8）便器蓋
（9）バネ
（10）ポペット形電磁開閉弁
（11）デジタルタイマー
（12）操作盤
（13）中心軸穴に取り付けソケット
（14）水槽
（15）マイクロスイッチ
（16）手動噴射スイッチ
（17）主（メイン）電源スイッチ
（18）数ミリ径ノズル穴（2mm程）
（19）小便の当たり板
（20）噴霧を漏れなくするカバー部分
【要約】      （修正有）【課題】不特定多数の人が使用する便座等を簡易消毒、除菌する携帯可能な除菌具を提供する。【解決手段】エタノールを主成分とした溶液に含浸した水溶性のティシュを、プラスチックにアルミ箔を蒸着の融着密封袋詰め分割パック２にして、複数回分を1ケースにして、ポケットティシュケース１の水溶性ティシュ３と重ね合わせに同封した。又複数回使用可能な使い捨て携帯ポケットライター形状に上記の成分と噴射剤を混合充填する小型の携帯ミストスプレー缶とした。【選択図】図１【図１】
0004518437.tif 000002
【図２】
0004518437.tif 000003
【図３】
0004518437.tif 000004